(57)【要約】【課題】意匠の立体感を強調できる表示板を提供する。【解決手段】光透過性の基板７と、この基板７の前面に形成され所定の表示意匠を形成する表示層８と、基板７の前面または背面に形成され表示層８の周囲を縁取る開口部１０ａを有する不透過層９と、基板７の背面であって表示層８に対向するように形成され表示層８の虚像を表示層８の周囲に向けて反射する鏡面反射層１０とを備えることによって、表示層８は金属調の枠に縁取られたように視認されるため、立体的な表示形態を得ることができることから、表示板に高級感を持たせることが可能となる。【選択図】  図２
2012073065.tif 000002
【特許請求の範囲】
【請求項１】
光透過性の基板と、この基板の前面に形成され所定の表示意匠を形成する表示層と、前記基板の前面または背面に形成され前記表示層の周囲を縁取る開口部を有する不透過層と、前記基板の背面であって前記表示層に対向するように形成され前記表示層の虚像を前記表示層の周囲に向けて反射する鏡面反射層とを備えることを特徴とする表示板。
【請求項２】
前記鏡面反射層は、前記表示層の輪郭よりも面積が大きく形成されることを特徴とする請求項１に記載の表示板。
【請求項３】
前記基板の前面側に透光性を有する艶消し層を有し、この艶消し層の前記開口部に対応する箇所に第２の開口部を形成したことを特徴とする請求項１及び２に記載の表示板。
【発明の詳細な説明】
【技術分野】
【０００１】
本発明は、例えば車両のメータに組み込まれ、回転する指針の表示対象となる文字，数字及び目盛等の表示意匠が形成された表示板に関するもので、特に表示意匠が光源からの光により照明されるタイプの表示板に関するものである。
【背景技術】
【０００２】
この種の表示板として特許文献１、２に記載のものが知られている。特許文献１に記載の表示板は、照明光を透過する透光性基板と、この透光性基板の表面に形成され表示意匠を形成する表示層と、透光性基板の裏面に形成され表示意匠の背景色を形成する透過色層と、この透過着色層の裏面に形成され表示層よりも面積の大きい開口部を有する不透過層とを有しており、表示板の裏側に配置した光源の消灯時は、透光性基板の表裏に離間形成された表示層とその背景となる透過着色層とが外光等の入射により透光性基板に厚みによる距離差（視差）を伴って立体的に視認され、一方、光源の点灯時には、開口部を通じて透過着色層を透過し表示層と不透過層との隙間から表側に漏れる漏光の強弱（表示層近辺で強く表示層から遠ざかるに従って弱くなる）によって表示層の輪郭を照明し立体感を得るものである。
【０００３】
特許文献２に記載の表示板は、照明光を透過する透光性基板と、この透光性基板の表面に形成され表示意匠を形成する表示層（表画像部）と、透光性基板の裏面に形成され表示層に対応した形状の裏画像部と、この裏画像部の周囲に形成され表示層の輪郭よりも大きな影画像部とを有しており、表示層（表画像部）と影画像部との視差により立体感を得るものである。
【先行技術文献】
【特許文献】
【０００４】
【特許文献１】特開２００３―２１６０７７号公報
【特許文献２】特開平０５―０２６６９７号公報
【発明の概要】
【発明が解決しようとする課題】
【０００５】
しかしながら、特許文献１、２に記載の表示板は、その何れもが透光性基板の厚みに基づく視差により立体感を得る構成であるため、透光性基板の厚み分の奥行き感しか得られず、立体表現には限界があった。なお特許文献１に記載の表示板は、光源の点灯時、表示層周囲における漏光の強弱により立体感を得ているが、光の強弱による視覚効果に基づく立体表現でしかなく、実質的に（構成的）には透光性基板の厚みぶんの奥行き感しか得られず、立体表現に限界があった。
【０００６】
そこで本発明は、意匠の立体感を強調できる表示板を提供することを目的とする。
【課題を解決するための手段】
【０００７】
本発明は、前記目的を達成するため、光透過性の基板と、この基板の前面に形成され所定の表示意匠を形成する表示層と、前記基板の前面または背面に形成され前記表示層の周囲を縁取る開口部を有する不透過層と、前記基板の背面であって前記表示層に対向するように形成され前記表示層の虚像を前記表示層の周囲に向けて反射する鏡面反射層とを備えることを特徴とする。
【０００８】
このように構成することにより、鏡面反射層を通じて表示層の虚像を奥まった位置に表示できるため、より奥行き感を向上させることができる。
【０００９】
また本発明は、前記鏡面反射層は、前記表示層の輪郭よりも面積が大きく形成されることを特徴とする。
【００１０】
このように構成することで、鏡面反射層による虚像の見える範囲を広げることができる。
【００１１】
また本発明は、前記基板の前面側に透光性を有する艶消し層を有し、この艶消し層の前記開口部に対応する箇所に第２の開口部を形成したことを特徴とする。
【００１２】
このように構成することで、艶消し層を形成する場合でも第１の開口部が露出するので奥行き感を維持することができる。
【発明の効果】
【００１３】
本発明によれば、奥行き感を向上させることができる表示板を提供することができる。
【図面の簡単な説明】
【００１４】
【図１】本発明を適用した車両用表示装置を示す要部断面図。
【図２】本発明の第１の実施例を示す要部断面図。
【図３】同上の実施例における表示例を示す説明図。
【図４】本発明の第２の実施例を示す要部断面図。
【図５】本発明の第３の実施例を示す要部断面図。
【発明を実施するための形態】
【００１５】
以下、本発明の第１の実施形態を添付図面に基づいて説明するが、本発明を車両用表示装置に適用する場合を例に上げて説明する。
【００１６】
図１において、車両用表示装置１は、本発明の特徴ポイントである表示板２と、表示板２の下方に位置する計器本体３と、表示板２の上方に位置し計器本体３によって回動駆動する指針４と、表示板２の背面に配設される導光体５と、ランプ，ＬＥＤ等からなる光源６とから構成される。車両用表示装置１においては、回転する指針４が表示板２に形成される表示意匠（後述する表示層）を指し示すことによって所定の情報（例えば車速、エンジン回転）の表示を行い、また、導光体５を介して光源６から発せられる照明光によって指針４を光輝させるとともに表示板２を裏面側から照射することにより表示意匠の周囲を光輝させ、読み取りを可能とする。
【００１７】
表示板２は、図２に示すように、透明樹脂性の基板７と、表示層８と、不透過層９と、鏡面反射層１０と、艶消し層１２とによって構成されており、表示層８、不透過層９、鏡面反射層１０、艶消し層１２は何れも例えばスクリーン印刷手法またはデジタル印刷手法を用いて基板７に印刷形成されている。
【００１８】
表示層８は、基板７の表面側に形成され、表示板２における文字，数字及び目盛等の表示意匠を表すものである。また、表示層８は、例えば白などの所定の不透過色によって形成され外光や照明光を透過しない構成となっている。
【００１９】
不透過層９は、本実施形態の場合は、基板７の裏面側に形成され、光源６の点灯時において照明光が透過する領域を定めるためのものであり、照明光を透過しない構成となっている。また、不透過層９は表示層８の形成位置に応じて表示層８に対応した形状で且つ当該表示層８を縁取る開口部１０ａを有している。また不透過層９は鏡面反射層の裏面にも形成されているが、この部分に形成される不透過層９はなくともよい。
【００２０】
鏡面反射層１０は、基板７の裏面側であって表示層８と対向する位置に形成される例えばミラーインク層からなり、基板７と鏡面反射層１０との境界面は鏡面となっている。この鏡面反射層１０は、表示層８の形状に対応するが、表示層８の輪郭よりも面積が大きく形成されており、表示層８の虚像Ｘ（図示のこと）を表示層８の周囲に向けて反射する。
【００２１】
艶消し層１２は、図２に示すように、基板７の表面側であって、表示層８と開口部１０ａの輪郭に対応する範囲を除いた箇所に形成されている。また表示層８と前記範囲に形成することにより表示層８と艶消し層１２との間には第２の開口部１２ａが形成されている。
【００２２】
このような構成において、表示板２は、光源６の非点灯時においては、自然光などの外光を受けると、光の表面反射により表示層８が白色に視認されると共に基板７を透過した光が不透過層９に到達し、表示層８の周囲に不透過層９による黒色の背景が視認される。基板７内を進む光は鏡面反射層１０の表面と表示層８の裏面にも到達し、表示層８を照らす光が鏡面反射層１０で表面側に反射されることで表示層８の輪郭を縁取る虚像Ｘ（図３）を形成し、第２の開口部１２ａを通じて運転者（観察者）に視認される。この際、虚像Ｘを形成する光が進む経路は、図２に示すように、表示層８から鏡面反射層１０に進む第１の経路Ｋ１と、鏡面反射層１０で反射して表側に向かう第２の経路Ｋ２とを足した経路（少なくとも基板７の厚み寸法の倍以上の経路）を進むため、虚像Ｘは、表示層８（の裏面）を基準としたとき、距離Ｄ分から奥まった位置で視認される。これにより、表示層８と、表示層８の輪郭を縁取る虚像Ｘとの距離Ｄに基づく視差によって、表示層８が浮き上がっているかのような立体的な表示形態で運転者に視認される。
【００２３】
また、光源６の点灯時においては、光源６から発せられた照明光が開口部１０ａから基板７に導かれ、表示層８と艶消し層１２の第２の開口部１２ａとの間の隙間から表示板２の表側に透過することにより、表示層８周囲の輪郭が光輝する（この場合、表示層８と不透過層９は透過照明されず影として視認される）。基板７内を進む光は、鏡面反射層１０の表面と表示層８の裏面にも到達し、光源６の消灯時と同様、表示層８を照らす光が鏡面反射層１０で表面側に反射されることで表示層８の輪郭を縁取る虚像Ｘ（図３）を形成する。
【００２４】
このように本実施形態は、光透過性の基板７と、この基板７の前面に形成され所定の表示意匠を形成する表示層８と、基板７の前面または背面に形成され表示層８の周囲を縁取る開口部１０ａを有する不透過層９と、基板７の背面であって表示層８に対向するように形成され表示層８の虚像Ｘを表示層８の周囲に向けて反射する鏡面反射層１０とを備えることによって、鏡面反射層１０を通じて金属調の枠に縁取られたような表示層８の虚像を基板７の厚み寸法より大きな距離分、奥まった位置に表示できるため、より奥行き感を向上させることができ、表示板に高級感を持たせることが可能となる。
【００２５】
このように本実施形態は、光透過性の基板７と、この基板７の前面に形成され所定の表示意匠を形成する表示層８と、基板７の前面または背面に形成され表示層８の周囲を縁取る開口部１０ａを有する不透過層９と、基板７の背面であって表示層８に対向するように形成され表示層８の虚像Ｘを表示層８の周囲に向けて反射する鏡面反射層１０とを備えることによって、鏡面反射層１０を通じて金属調の枠に縁取られたような表示層８の虚像を基板７の厚み寸法より大きな距離分、奥まった位置に表示できるため、より奥行き感を向上させることができ、表示板２に高級感を持たせることが可能となる。
【００２６】
また、鏡面反射層１０は、表示層８の輪郭よりも面積が大きく形成されることによって、斜めから見た場合だけでなく、正面視した場合であっても鏡面反射層１０による虚像Ｘを見せることができ、虚像Ｘの見える範囲を広げることができる。
【００２７】
また、基板７の前面側に透光性を有する艶消し層１２を有し、この艶消し層１２の開口部１０ａに対応する箇所に第２の開口部１２ａを形成したことによって、表示層８の金属調枠を強調させることができることから、表示板に高級感を持たせることが可能となる。
【００２８】
次に、本発明の第２の実施形態を図面に基づいて説明するが、同一箇所には同じ符号を付けて、詳細説明は省略する。
【００２９】
不透過層９は、本実施形態の場合は、基板７の表面側に形成され、光源６の点灯時において照明光が透過する領域を定めるためのものであり、照明光を透過しない構成となっている。図４に示すように、不透過層９を基板７の表面側に形成する場合、艶消し層１２が不透過層９を覆うように形成する。
【００３０】
鏡面反射層１０は、基板７の裏面側であって表示層８と対向する位置に形成される例えばミラーインク層からなり、基板７と鏡面反射層１０との境界面は鏡面となっている。この鏡面反射層１０は、第１の実施形態では、表示層８の形状に対応していたが、第２の実施形態のように、表示層８の虚像Ｘを表示層８の周囲に向けて反射する効果が得られるならば、連続して形成された１つの層から形成されていてもよい。
【００３１】
艶消し層１２は、図２に示すように、基板７の表面側であって、表示層８と開口部１０ａの輪郭に対応する範囲を除いた箇所に形成されている。また表示層８と前記範囲に形成することにより表示層８と艶消し層１２との間には第２の開口部１２ａが形成されている。
【００３２】
このような構成において、表示板２は、光源６の非点灯時においては、自然光などの外光を受けると、光の表面反射により表示層８が白色に視認されると共に基板７上に形成された不透過層９及び艶消し層１２によって、表示層８の周囲に不透過層９による黒色の背景が視認される。基板７内を進む光は鏡面反射層１０の表面と表示層８の裏面にも到達し、表示層８を照らす光が鏡面反射層１０で表面側に反射されることで表示層８の輪郭を縁取る虚像Ｘ(図３)を形成し、第２の開口部１２ａを通じて運転者（観察者）に視認される。
【００３３】
また、光源６の点灯時においては、光源６から発せられた照明光が鏡面反射層１０を透過して基板７に導かれ、表示層８と艶消し層１２の第２の開口部１２ａとの間の隙間から表示板２の表側に透過することにより、表示層８周囲の輪郭が光輝する（この場合、表示層８と不透過層９は透過照明されず影として視認される）。基板７内を進む光は、鏡面反射層１０の表面と表示層８の裏面にも到達し、光源６の消灯時と同様、表示層８を照らす光が鏡面反射層１０で表面側に反射されることで表示層８の輪郭を縁取る虚像Ｘを形成する。
【００３４】
次に、本発明の第３の実施例を添付図面に基づいて説明する。図５に示すように、鏡面反射層１０に開口部１０ａが設けられている場合、非点灯時に文字板２の奥行きが透けて見えてしまうのを防ぐために、開口部１０ａの隙間を白色などからなる透過性着色層で覆ったものである。このように形成することで、第１の実施形態と同様に、表示層８は奥行きのある金属調の枠に縁取られたように視認されるため、立体的な表示形態を得ることができることから、表示板に高級感を持たせることが可能となる。
【００３５】
また、前述の実施の形態においては、車両用表示装置を例に上げて説明したが、本発明においては、表示板の用途は前述の実施の形態に限定されるものではない。
【符号の説明】
【００３６】
１      車両用表示装置
２      表示板
６      光源
７      基板
８      表示層
９、９ａ    不透過層
１０    鏡面反射層
１０ａ  開口部
１２    艶消し層
１２ａ  第２の開口部
１３    透過性着色層
【図１】
2012073065.tif 000003
【図２】
2012073065.tif 000004
【図３】
2012073065.tif 000005
【図４】
2012073065.tif 000006
【図５】
2012073065.tif 000007